(57)【特許請求の範囲】
【請求項１】
容器の上部から挿入可能な孔部を有する第１シートと、前記第１シートの孔部を含んで第１シートの上面に重ねられ且つ前記第１シートの一方向両側部において第１シートに接着された第２シートと、を有し、
前記第２シートが、第１シートの上面に折り畳まれて重ねられており、前記第２シートの少なくとも前記孔部に重なった領域を下方から押すことにより、前記折り畳まれた第２シートが伸張することを特徴とする首掛けラベル。
【請求項２】
前記第１シートが、挿入した容器の段部に係合し得る係合部を有する請求項１に記載の首掛けラベル。
【請求項３】
前記容器の上部から第１シートの孔部を挿入したときに、前記第２シートの両側領域が立ち上がると共に、前記両側領域に連なる第２シートの中央領域が容器の上部を覆う請求項１または２に記載の首掛けラベル。
【発明の詳細な説明】
【技術分野】
【０００１】
本発明は、宣伝広告効果を高めるために、容器の上部に装着して使用される首掛けラベルに関する。
【背景技術】
【０００２】
従来、宣伝広告効果を高める目的で、商品名、懸賞案内などの各種広告を表示した首掛けラベル（掛止ラベルなどとも呼ばれる）を、容器に装着することが行われている。
【０００３】
例えば、特許文献１には、第１基材と第２基材が縦方向に形成される２条の所定幅の接着部を介して接着され、第１基材は、中央部位に形成された切り線で切り離し可能に構成され、第２基材は、前記第１基材の切り線に平行に形成された２本の切り線と、該２本の切り線の中央部に直行して形成された１本の切り線とによってＨ形状の切り線が形成され、前記１本の切り線を挟んで、短い切り線が形成されている首掛けラベルが開示されている。
この特許文献１の首掛けラベルは、容器の首に第２基材のＨ形状切り線を合わせ、第１基材及び第２基材の両端側を下方に引っ張ると、第２基材のＨ形状切り線と、第１基材の切り線とが開き、容器の首に挿入できる。挿入後、第１基材及び第２基材がそれぞれ２つに分かれて立ち上がり、容器の首の周囲に、第１基材の２つの立ち上げ面及び第２基材の２つの立ち上げ面からなる、計４面の立ち上げ面が形成される。
この４面の立ち上げ面に、商品名などの広告を印刷することにより、容器の首の周囲において、首掛けラベルの立ち上げ面に表示された広告を消費者に見せることができる。
【特許文献１】特開２００５−６２７０２号公報
【発明の開示】
【発明が解決しようとする課題】
【０００４】
上記特許文献１の首掛けラベルは、容器に装着したときには容器の首の周囲に立ち上げ面が形成されるので、容器の正面から見た場合、この立ち上げ面に表示された広告を消費者に見せることができる。
【０００５】
しかしながら、上記特許文献１の首掛けラベルが装着された容器を、例えば、リーチイン型ショーケースやこのタイプの冷蔵庫などの下方の棚に陳列した場合、容器の首の周囲に形成された首掛けラベルの立ち上げ面の広告表示が、消費者には見えにくいという問題点がある。
さらに、上記首掛けラベルが装着された容器を、例えば、平型オープンショーケースやこのタイプの冷蔵庫などに並べて陳列した場合、ほとんど容器の上部しか消費者には見えず、首掛けラベルの立ち上げ面の広告表示が消費者には見えにくい。
従って、容器に装着して広告宣伝効果を高めるという首掛けラベルの使用目的が十分に発揮されず、その改善が求められている。
【０００６】
本発明の目的は、容器に装着した後、容器の上部に広告を表示できる首掛けラベルを提供することである。
【課題を解決するための手段】
【０００７】
本発明の首掛けラベルは、容器の上部から挿入可能な孔部を有する第１シートと、前記第１シートの孔部を含んで第１シートの上面に重ねられ且つ前記第１シートの一方向両側部において第１シートに接着された第２シートと、を有し、前記第２シートが、第１シートの上面に折り畳まれて重ねられており、前記第２シートの少なくとも前記孔部に重なった領域を下方から押すことにより、前記折り畳まれた第２シートが伸張することを特徴とする。
【０００８】
上記本発明の首掛けラベルの少なくとも第２シートの上面には、任意の広告が印刷などされる。
上記首掛けラベルは、第１シートの孔部を容器の上部に位置合わせして、両側部を把持して押し下げることによって、容器に装着される。
装着時、前記孔部の上方に重なっている第２シートが、容器の上部によって押し上げられて伸張するため、容器の上部が、首掛けラベルの第２シートによって覆われる。
このため、本発明の首掛けラベルは、その第２シートによって、容器の上部に広告を表示することができる。
また、第２シートが容器の上部を覆っているため、首掛けラベルが、容器から大きくずれ下がることを防止できる。
【０００９】
さらに、上記首掛けラベルは、第２シートが折り畳まれているので、比較的薄い扁平状をなしており、保管の便に優れている。さらに、第２シートが折り畳まれているので、容器装着時に、第２シートが簡単に伸張する。
【００１０】
また、本発明の他の好ましい首掛けラベルは、前記第１シートが、挿入した容器の段部に係合し得る係合部を有する。
第１シートが係合部を有することにより、首掛けラベルを容器に装着したときに、係合部が容器の段部に係合するため、伸張した第２シートが縮むことを防止できる。
【００１１】
また、本発明の好ましい首掛けラベルは、前記容器の上部から第１シートの孔部を挿入したときに、前記第２シートの両側領域が立ち上がると共に、前記両側領域に連なる第２シートの中央領域が容器の上部を覆うことを特徴とする。
【００１２】
上記本発明の好ましい首掛けラベルは、容器に装着すべく、容器の上部から第１シートの孔部を挿入したときに、第２シートの両側領域が立ち上がり、且つ両側領域に連なる第２シートの中央領域が容器の上部を覆うため、容器の上部に広告を表示することができる。また、第２シートの中央領域が容器の上部を覆っているため、首掛けラベルが、容器から大きくずれ下がることを防止できる。
【発明の効果】
【００１３】
本発明の首掛けラベルは、容器に装着した後、容器の上部に広告を表示することができる。
従って、本発明の首掛けラベルが装着された容器は、下方に陳列されたり、或いは、平型オープンショーケースに並べて陳列しても、首掛けラベルに表示された広告を消費者に見せることができる。
また、本発明の好ましい首掛けラベルは、容器に装着後、大きくずれ下がることもない。
【発明を実施するための最良の形態】
【００１４】
図１〜図３に於いて、１０は、容器の上部から挿入可能な孔部３を有する第１シート１と、前記第１シート１の孔部３を含んで第１シート１の上面に重ねられた第２シート２と、を有し、前記第１シート１の一方向両側部と第２シート２の一方向両側部が接着された扁平状の首掛けラベルを示す。
【００１５】
第１シート１は、容器に挿入後、前記容器の段部に係合し得る係合部４を有する。
また、第２シート２のうち、少なくとも第１シート１の孔部３に重なった領域は、伸張可能に構成されている。
【００１６】
具体的には、第１シート１は、所定の平面視形状（例えば、平面視略矩形状など）に形成されている。
第１シート１の面内には、例えば平面視略Ｈ字状の切り目５が形成されている。この切り目５は、孔部３を形成するためのものである。
該切り目５は、第１シート１の一方向Ｘと略平行に伸びる有端直線状の第１切り目５１と、前記第１切り目５１の両端部に連設され且つ第１シート１の他方向Ｙと略平行に伸びる有端直線状の一対の第２切り目５２とからなる。なお、第２切り目５２の両端部は、僅かに内側へ曲がった傾斜状に形成されていてもよい。
ただし、本明細書において、一方向とは、第１シート１及び第２シート２の任意の方向を意味し、他方向とは、第１シート１及び第２シート２の面内において、前記一方向と直交する方向をいう。例えば、第１シート１が、平面視矩形状に形成されている場合には、前記一方向は、その縦辺又は横辺と平行な方向が好ましい。
【００１７】
上記略Ｈ字状の切り目５で区画される２つの領域１１，１２を押し上げることによって第１シート１の面内に生じる開口が、上記孔部３である。
【００１８】
さらに、第１シート１の面内には、上記第１切り目５１を挟んで、第１切り目５１よりも短い一対の切り目６，６が対向形成されている。この切り目６は、係合部４を形成するためのものである。
該切り目６，６は、第１切り目５１と略平行であって第１切り目５１から離れるように膨らんだ円弧状の第３切り目６３と、前記第３切り目６３の両端部に連設された傾斜状の第４切り目６４とからなる。
この切り目４の第３切り目６３の縁が、容器の段部に係合する係合部４となる。
【００１９】
上記第１シート１の一方向両側部と第２シート２の一方向両側部は、接着剤を介して、所定幅帯状に接着されている。なお、第１シート１及び第２シート２が、溶剤接着可能なシート材で形成されている場合には、溶剤接着でもよいし、熱シール可能なシート材で形成されている場合には、熱シールでもよい。
上記第１シート１と第２シート２の接着部７の接着幅は、特に限定されず、第１シート１及び第２シート２の大きさに応じて適宜設定できる。例えば、第１シート１が、縦４ｃｍ〜１５ｃｍ、横４ｃｍ〜１５ｃｍの矩形状の場合、前記接着部７の幅は、３ｍｍ〜１０ｍｍ程度が好ましい。
【００２０】
次に、第２シート２は、折り畳まれて第１シート１に重ねられている。該第２シート２の他方向長さは、第１シート１の他方向長さと同じであり、第２シート２の一方向長さは、第１シート１の一方向長さよりも長い。第２シート２の一方向長さが長いほど、本発明の首掛けラベル１０を容器に装着したときに、第２シート２の立ち上がり長さ（高さ）が大きくなる、つまり、首掛けラベル１０の第１シート１をより下方側へ押し下げて容器に装着できる。この点を考慮して、上記第２シート２の一方向長さは、適宜設定される。もっとも、これが余りに長いと、第２シート２を折り畳んだときに首掛けラベル１０が嵩高くなるため、上記第２シート２の一方向長さは、第１シート１の一方向長さの１．２倍〜２．５倍が好ましく、同１．４倍〜２．０倍がより好ましい。
【００２１】
図示した例では、第２シート２の面内に、他方向Ｙと略平行な４本の折り目８１〜８４（左から順に、第１折り目８１、第２折り目８２などという）が所定間隔を開けて一方向Ｘに並設されている。第２シート２は、第１折り目８１及び第４折り目８４にて山折りし、第２折り目８２及び第３折り目８３にて谷折りすることにより、扁平状に折り畳まれている。
なお、このように折り畳まれた第２シート２は、その下方から押すことにより、図３（ｂ）に示すように、接着部７と第１折り目８１の間における第２シート２の側領域２１及び接着部７と第４折り目８４の間における第２シート２の側領域２２が立ち上がると共に、第１折り目８１と第４折り目８４の間における第２シート２の中央領域２３（前記両側領域２１，２２に連なる第２シート２の領域）が、第１シート１と略平行となる。
【００２２】
前記第１折り目８１及び第４折り目８４の形成位置は、特に限定されないが、好ましくは、第１折り目８１と第４折り目８４の間の長さ（一方向長さ）が、容器の上部の長さ（容器の上部が円形状の場合には、その直径）と略同じ又はそれよりも長く形成されていることが好ましい。本実施形態では、第１折り目８１と第４折り目８４の間に、第２シート２の中央領域２３が形成されるため、該中央領域２３が、容器の上部を覆うときに、容器の上部に当たって変形することを防止することができる。
さらに好ましくは、第１折り目８１及び第４折り目８４の形成位置は、第１折り目８１と一方の接着部７までの長さと、第４折り目８４と他方の接着部７までの長さとが、同じ長さとなるように形成される。このように各折り目を形成することにより、両側領域２１，２２の面内には折り目が生じない。このため、首掛けラベル１０を容器に装着したときに立ち上がる第２シート２の両側領域２１，２２が、平面状となり、該両側領域２１，２２に施された広告を綺麗に表示できる。
【００２３】
また、必要に応じて、第２シート２には、接着部７の近傍に、他方向Ｙと略平行な第５折り目８８がそれぞれ形成されていてもよい。なお、この第５折り目８８は、図１において、一点鎖線で示している。かかる第５折り目８８を形成することにより、首掛けラベル１０を容器に装着したときに、第２シート２の中央領域２３や両側領域２１，２２が平面状になり易い。
【００２４】
第１シート１及び第２シート２は、適度な剛性と可撓性を有するシート材が用いられる。該シート材は、特に限定されず、紙、厚紙、合成紙、合成樹脂シート、合成樹脂発泡シート、これらの積層体、これらと他のシートの積層体などを用いることができる。通常、前記シート材は、合成紙、紙、合成樹脂シートが用いられる。紙を用いる場合には、その目付量が６０〜１５０ｇ／ｍ２程度のものが好ましい。合成紙または合成樹脂シートを用いる場合には、その厚みが３０μｍ〜１５０μｍ程度のものが好ましい。第１シート１及び第２シート２は、同一のシート材でもよいし、材質及び／又は厚みが異なるシート材でもよい。
【００２５】
上記第２シート２の上面及び第１シート１の上面（但し、接着部７を除く）には、広告が表示される。なお、必要に応じて、第１シート１や第２シート２の下面に、広告が表示されていてもよい。該広告表示は、商品名、懸賞案内、商品説明などの任意であり、該広告表示は、従来公知の印刷法でシートに施すことができる。
【００２６】
上記首掛けラベル１０は、扁平状であるため、嵩張らず保管の便に優れている。
上記首掛けラベル１０は、使用時、容器の上部に装着される。
装着する容器は、特に限定されない。容器は、例えば、いわゆるＰＥＴボトルなどのボトル型容器、シャンプーなどが入れられたポンプ付き容器、プルトップ付き飲料缶のような筒状容器又はタル型容器などが挙げられる。
好ましくは、胴部と、該胴部の上方に形成され且つ胴部よりも小径の首部と、を有する容器である。この首部の上端に、収納物を取り出すための開口が形成されている場合には、首部には、前記開口を塞ぐキャップ（例えば、平面視円形状のキャップ）や、注出用ポンプ口などが取り付けられる。このような容器は、上記ボトル型容器やポンプ付き容器などが該当する。
【００２７】
首掛けラベル１０を容器の上部に装着する手順は、従来公知の首掛けラベルと同様の手順で行うことができる。
すなわち、首掛けラベル１０の第１シート１の孔部３（上記実施形態では、略Ｈ字状の切り目５）を容器の上部に位置合わせして、首掛けラベル１０の一方向両側部（両方の接着部部７，７）を把持して押し下げることにより、容器の上部から第１シート１の孔部３を挿入する。すると、切り目５で区画される領域が容器の上部によって押し上げられて第１シート１の面内に生じた開口（孔部３）が容器の首部に挿入されると共に、第１シート１の係合部４（切り目６の縁部）が、容器の段部（例えば、首部に形成されたフランジ部や、キャップの下端面など）に係合する。同時に、前記孔部３の上方に重なっている第２シート２が、容器の上部によって押し上げられ、各折り目で折り畳まれていた第２シート２が伸張する。
【００２８】
得られた首掛けラベル付き容器は、図４及び図５に示すように、首掛けラベル１０の第２シート２の両側領域２１，２２が容器９の首部９１を挟んで立ち上がり、両側領域２１，２２に連なる第２シート２の中央領域２３が容器９の上部９２（上部にキャップが被せられているときには、キャップの上面）を覆うと共に、第１シート１の切り目５で区画される２つの領域１１，１２が容器９の首部９１を挟んで立ち上がっている。
【００２９】
本発明の首掛けラベル１０は、容器９の首部９１の周囲に、第１シート１の領域１１，１２及び第２シート２の側領域２１，２２からなる計４面の立ち上げ面を形成でき、更に、容器９の上部９２に、第２シート２の中央領域２３からなる被覆面を形成できる。
このため、本発明の首掛けラベル１０が装着された容器は、容器の上方から見る消費者に対し、首掛けラベル１０に表示された広告を見せることができ、さらに、容器の正面からも首掛けラベル１０に表示された広告を消費者に見せることができる。
従って、かかる首掛けラベル付き容器は、リーチイン型ショーケースや平型オープンショーケースなどの何れのタイプに陳列されても、首掛けラベル１０に表示された広告を消費者に良好に見せることが可能となる。
【００３０】
また、第１シート１の係合部４が、容器の段部に係合しているので、折り目の復元力で第２シート２が折れ曲がることを防止できる。
さらに、第２シート２の中央領域２３が容器９の上部９２を覆っているため、装着された首掛けラベル１０が、容器９からずれ下がることもない。従って、本発明の首掛けラベル１０は、首部９１が非常に長い容器９や段部を有しない容器９に対しても、ずり下がることなく装着することができる。
【００３１】
次に、本発明の首掛けラベルの他の実施形態を示す。
ただし、他の実施形態の説明に於いて、主として上記実施形態と異なる構成及び効果について説明し、上記実施形態と同様の構成などについては、その説明を省略し、用語及び符号を援用することがある。
【００３２】
上記実施形態では、第２シート２は、４本の折り目８１〜８４にて折り畳まれているが、例えば、図６に示すように、２本の折り目８５，８６にて折り畳まれていてもよい。かかる２本の折り目８５，８６で第２シート２を折り畳んでも、首掛けラベル１０の孔部３を容器の上部から挿入したときに、第２シート２が上方へ伸張する。
【００３３】
上記実施形態では、孔部３は、略Ｈ字状の切り目５で区画される２つの領域１１，１２が開くことにより形成される、すなわち、孔部３は、容器に挿入すると同時に形成されるものであるが、孔部３は、例えば、図７に示すように、第１シート１の面内に形成された開口であってもよい。かかる予め開口した、開口状の孔部３の一方向長さは、容器の上部の長さ（容器の上部が円形状の場合には、その直径。以下同じ）と略同じでもよいし、或いは、容器の上部の長さよりも小さくてもよい。かかる開口状の孔部３を有する首掛けラベル１０は、孔部３を容器の上部に挿入したときに、該孔部３の開口縁３ａが、容器の段部に係合し得る係合部４となるので好ましい。なお、開口状の孔部３の一方向長さが容器の上部の長さよりも小さく形成される場合、開口状の孔部３が拡がるようにして容器の上部に挿入し易くするために、図７に示すように、開口縁３ａから放射状に伸びる切り目３１を形成しておくことが好ましい。
【００３４】
また、上記開口状の孔部３の一方向長さが、容器の上部の長さよりも大きく形成されていてもよい。かかる孔部３を有する首掛けラベル１０は、孔部３の開口縁が、容器の段部に係合し難いまたは係合しなくなる。しかし、該首掛けラベル１０の第２シート２の中央領域２３が、容器の上部に当たるので、首掛けラベル１０がずり下がることはない。
なお、上記のように開口状の孔部３を有する首掛けラベル１０は、容器に装着したときに、第１シート１の２つの領域１１，１２が殆ど立ち上がらないが、本発明の首掛けラベル１０は、容器に装着したときに、第２シート２の両側領域２１，２２が容器の首部の周囲に立ち上がるので、容器の正面から広告を消費者に見せることができる。
【００３５】
さらに、上記実施形態では、首掛けラベル１０は、平面視略矩形状に形成されているが、例えば、図８に示すように、平面視略楕円形状に形成することもできる。また、特に図示しないが、首掛けラベル１０は、平面視略円形状、平面視ハート型形状などの所望の形状に形成することができる。
【００３６】
また、上記実施形態における首掛けラベル１０は、さらに延出シート片を有していてもよい。該延出シート片８は、例えば、図９に示すように、第１シート１及び第２シート２の一方の側部（一方の接着部７）の外側に延出されたシートから形成される。なお、延出シート片８は、第１シート１及び第２シート２の両側部（両方の接着部７）の外側にそれぞれ延出されたシートから形成されていてもよい。
上記延出シート片８は、第１シート１及び／又は第２シート２の側部から一体的に延出されていてもよし、第１シート１及び／又は第２シート２とは別体のシートを第１シート１及び／又は第２シート２の側部に接着してもよい。延出シート片８の上面（及び下面）には、必要に応じて、各種広告が表示される。かかる延出シート片８を設けることにより、より多くの広告を表示できる。
なお、延出シート片８が、第１シート１及び第２シート２の側部からそれぞれ延出されている場合、該２枚の延出シートの重ね合わせ面は、剥離可能な程度に弱接着されていることが好ましい。このように２枚の延出シート片８の重ね合わせ面を弱接着し、その重ね合わせ面に懸賞情報を表示しておくことにより、籤や懸賞を提供するキャンペーンラベルとしての機能を付加できる。
【００３７】
上記実施形態の首掛けラベル１０において、図１０に示すように、首掛けラベル１０を容器９に装着したときに、両側領域２１，２２の下面の一部が、立ち上がった第１シート１の領域１１，１２の角部１１ａに接触するように構成することが好ましい。このように両側領域２１，２２が、立ち上がった第１シート１の領域１１，１２の角部１１ａに接していれば、該両側領域２１，２２の下面が支持されるので好ましい。なお、第２シート２の一方向長さや折り目の形成位置などを適宜設定することにより、両側領域２１，２２が、立ち上がった第１シート１の領域１１，１２の角部１１ａに接するように構成できる。
【図面の簡単な説明】
【００３８】
【図１】本発明の１つの実施形態に係る首掛けラベルの平面図。ただし、薄墨塗り部分は、接着部を示す（他の図も同様）。
【図２】同背面図。
【図３】（ａ）は、同正面図、（ｂ）は、前記（ａ）に示される折り畳まれた第２シートを伸張した状態の正面図。
【図４】同首掛けラベルを容器に装着した状態の一部省略斜視図。
【図５】同一部省略正面図。
【図６】本発明の他の実施形態に係る首掛けラベルの正面図。
【図７】本発明の他の実施形態に係る首掛けラベルの背面図。
【図８】本発明の他の実施形態に係る首掛けラベルの平面図。
【図９】本発明の他の実施形態に係る首掛けラベルの正面図。
【図１０】本発明の他の実施形態に係る首掛けラベルを容器に容器に装着した状態の一部省略斜視図。
【符号の説明】
【００３９】
１…第１シート、２…第２シート、２１，２２…第２シートの側領域、２３…第２シートの中央領域、３…孔部、４…係合部、５…孔部を形成する切り目、６…係合部を形成する切り目、７…接着部、１０…首掛けラベル
【図１】
0004999741.tif 000002
【図２】
0004999741.tif 000003
【図３】
0004999741.tif 000004
【図４】
0004999741.tif 000005
【図５】
0004999741.tif 000006
【図６】
0004999741.tif 000007
【図７】
0004999741.tif 000008
【図８】
0004999741.tif 000009
【図９】
0004999741.tif 000010
【図１０】
0004999741.tif 000011